(57)【特許請求の範囲】
【請求項１】
ラミネート型リチウムイオン二次電池からなる少なくとも一個の単電池から構成される組電池をケースに収納したリチウムイオン二次電池パックにおいて
前記ケースは箱状であり、該ケースと前記組電池の４隅の側面の角部との間に発泡性充填材が充填され、
前記ケースの内面にリブが設けられ、
前記ケースの一方の端部に吸気口が設けられ、他方の端部に排気口が設けられ、
前記組電池は、前記リブによって前記ケースと離間しており、
前記リブの一部に切り欠きが設けられることで、前記組電池と前記ケースの内面との間に空冷のための空気の流路が形成されていることを特徴とするリチウムイオン二次電池パック。
【請求項２】
前記組電池と前記リブとの間に弾性体が設けられ、前記弾性体と前記ケースの内面との間に空冷のための空気の流路が形成されていることを特徴とする請求項１に記載のリチウムイオン二次電池パック。
【請求項３】
前記組電池は複数の単電池が接着剤または粘着剤で固定され積層されたことを特徴とする請求項１または２に記載のリチウムイオン二次電池パック。
【発明の詳細な説明】
【技術分野】
【０００１】
本発明はリチウムイオン電池やリチウムイオンポリマー電池を用いたリチウムイオン二次電池パックに関し、特に大容量化に適した耐震構造及び放熱構造を有するリチウムイオン二次電池パックに関する。
【背景技術】
【０００２】
近年の電子機器、特に携帯電話、ノート型パーソナルコンピュータ、ビデオカメラなどの携帯用情報機器の発達や普及に伴い、小型、軽量で、かつエネルギー密度が高い二次電池の需要が大きく伸張し、なお、高性能化の検討がなされている。このような二次電池として特にリチウムイオン二次電池が注目されている。
【０００３】
リチウムイオン二次電池の一般的な構造は、リチウム−コバルト複合酸化物などの正極活物質粉末、導電性粉末、及びバインダからなる正極活物質層をアルミニウム箔からなる正極集電体表面に形成してなる正極と、炭素系の負極活物質粉末、及びバインダからなる負極活物質層を銅箔からなる負極集電体表面に形成してなる負極を、多孔質のフィルムからなるセパレータを介して重ね、電解液を含浸し発電素子としたものである。
【０００４】
小型化、軽量化のために、電解液を高分子電解質に替えたリチウムイオンポリマー電池が用いられ、また発電素子を封入する外装材としてアルミニウムなどの金属箔と高分子フィルムからなるラミネートフィルムが用いられている。
【０００５】
図５は従来のラミネートフィルムを外装に用いた二次電池の一例を示す斜視図である。図５において、発電素子をラミネートフィルム１３により封入してリチウムイオン電池が構成され、発電素子の正極に接続された正極タブ１４と負極に接続された負極タブ１５をそれぞれラミネートフィルムより突出させて設けている(例えば特許文献１参照)。
【０００６】
図８は従来のラミネート型リチウムイオン二次電池パック内部の分解斜視図である。従来、ラミネート型リチウムイオン二次電池の組電池のケースへの装着については、図８に示すように組電池３の周囲を弾性体１０、１１、１２で覆い、組み込む構造が主流であった（例えば特許文献２、図５参照）。
【０００７】
しかし、近年のラミネート型リチウムイオン二次電池を搭載する装置の多様化から、例えば、業務用電動機器のように高い機械的強度（１０Ｇ程度を数十時間加える程度）を要求されながら同時に、使用時に流れる大電流による電池の発熱を抑制するよう要求されるような用途も出てきており以下のような問題があった。
【０００８】
図６はラミネート型リチウムイオン二次電池の組電池の部分断面図であり、図７はラミネート型リチウムイオン二次電池の組電池の平面図である。通常、隣接する電池同士を粘着材などで固定されたラミネート型リチウムイオン二次電池に振動を加えると、図６に示すように電池内部で電極積層体１６が電解液中に浮いているような状態となり、電極積層体１６のエッジ部と絞り加工を施したラミネート外装材のエンボスの角部１７が擦れあうことになる。振動が弱い場合、加震時間が短い場合には問題が無いが、加速度が大きい場合や長時間の振動にさらされる場合にはラミネート外装材の絶縁性の低下からくる腐食や機械的破壊により、図７に示す外装体の側面部および底面部において稜１８の中央部付近から漏液を起こす事があった。
【０００９】
また、このようなラミネート外装材の脆弱性の課題を解決するために、従来は積層方向にある一定以上の加重を加えて電池同士または電池内の積層された電極が動かないように加圧する必要があった。図９は従来の電池パックの斜視図である。図９に示されるように、ラミネート型リチウムイオン単電池を積層した組電池（単電池積層体）３を剛性のある金属板３２で挟み込み、ボルトまたはナット３３等で締め付けたりしていた（例えば特許文献３、図１参照）。また図８のように弾性体を用いる場合には、弾性体を厚くし（５．０〜７．０ｍｍ程度）元の厚みの１／２程度まで大きく圧縮してケース内に入れ込み積層方向の加重を得る方法があった。また、加重を掛ける方法以外には電池パックのケース内の組電池全体を樹脂で封止する方法もあった（例えば特許文献４参照）。
【００１０】
しかし、図８で示される組電池の周囲を弾性体で覆い組み込む構造や、図９で示される組電池を金属板等で挟み込む構造においては電池パック内で組電池が占める部分以外にも比較的広い空間を必要とし小型化に不向きであり、また、組電池全体を樹脂で封止する方法や、組電池を金属板等で挟み込む構造の場合には全体の重量が増し、ラミネート型リチウムイオン二次電池の軽量性という特性を生かせなかった。また、空気による組電池の冷却を考慮した場合、組電池の周囲全体を弾性体で覆い組み込む構造や、組電池全体を樹脂で封止する方法は不向きであった。さらに、組電池の周囲を弾性体で覆い組み込み大きく圧縮する構造では、緩衝材となる弾性体の反発力により、電池パックのケース表面が変形するなどの不具合を生じる可能性もあった。
【先行技術文献】
【特許文献】
【００１１】
【特許文献１】特開２００５−１２９２３４号公報
【特許文献２】特開２００４−１３９９２４号公報
【特許文献３】特開２００５−１１６４２７号公報
【特許文献４】特開２００３−１６２９８９号公報
【発明の概要】
【発明が解決しようとする課題】
【００１２】
このような状況にあって、本発明の課題は、比較的少ない体積および重量で対振動性および空気冷却性のよいリチウムイオン二次電池パックを提供することにある。
【課題を解決するための手段】
【００１３】
上記課題を解決するため、本発明のリチウムイオン二次電池パックは、ラミネート型リチウムイオン二次電池からなる少なくとも一個の単電池から構成される組電池をケースに収納したリチウムイオン二次電池パックにおいて、ケースは箱状であり、ケースと組電池の４隅の側面の角部との間に発泡性充填材が充填され、ケースの内面にリブが設けられ、ケースの一方の端部に吸気口が設けられ、他方の端部に排気口が設けられ、組電池は、リブによってケースと離間しており、リブの一部に切り欠きが設けられることで、組電池とケースの内面との間に空冷のための空気の流路が形成されていることを特徴とする。
【００１４】
また、組電池とリブとの間に弾性体が設けられ、弾性体とケースの内面との間に空冷のための空気の流路が形成してもよい。
【００１５】
また、組電池は複数の単電池が接着剤または粘着剤で固定され積層されたものでもよい。
【発明の効果】
【００１６】
以上のように、本発明では、ケースと組電池間の一部を弾性体と発泡性充填材により固定することにより耐震性を向上させ且つ、組電池を完全に覆わないことにより空冷のための通路を確保し、比較的小さな容積と重量で耐震性と冷却性に優れたリチウムイオン二次電池パックを供給することが出来る。
【図面の簡単な説明】
【００１７】
【図１】本発明の実施形態のリチウムイオン二次電池パックの製造途中工程を示す平面透視図。
【図２】図１のＡ−Ａ線における断面図。
【図３】本発明の実施形態のリチウムイオン二次電池パックを示す分解斜視図。
【図４】本発明の実施形態のリチウムイオン二次電池パックに用いられる下ケースの斜視図。
【図５】従来のラミネートフィルムを外装に用いた二次電池の斜視図。
【図６】ラミネート型リチウムイオン二次電池の組電池の部分断面図。
【図７】ラミネート型リチウムイオン二次電池の組電池の平面図。
【図８】従来のラミネート型リチウムイオン二次電池パック内部の分解斜視図。
【図９】従来の電池パックの斜視図。
【発明を実施するための形態】
【００１８】
次に、本発明の実施の形態について図面を参照して詳細に説明する。
【００１９】
図３は本発明の実施の形態のリチウムイオン二次電池パックの製造途中工程を示す分解斜視図である。正極、負極、および電解質を有する発電素子を金属箔と樹脂からなるラミネートフィルムで封入してなるラミネート型リチウムイオン二次電池を複数積層して構成された組電池３を上下面の全面および側面を部分的に覆う弾性体４、５、６を介し蓋状の上ケース１と箱状の下ケース２からなるケースに収納された構成となっている。ここで上ケース１の一方の端部には空冷の為の吸気口７が、反対側の端部には排気口８が設けてある。
【００２０】
組電池は、複数の単電池同士を両面粘着テープ、接着剤等で固定する。これは、ラミネート形電池の特徴である薄さを損なわずに組み電池を構成するのに適している。
【００２１】
図４は本発明の実施の形態のリチウムイオン二次電池パックに用いられる下ケースの斜視図である。図４に示すように組電池を収める下ケース２には、組電池をケース内壁から距離をとって位置決めを行う為のリブ２９が設けられており、そのリブは、図中斜線で示す空気の流路２１を確保すべく中央部では一部が切り欠いてある。このとき、下ケース２のリブ２９と組電池のラミネート外装材の表面が直接触れないように緩衝材となる弾性体４、５を間に挟んでおく。（図３参照）しかし、この緩衝材となる弾性体は、図８の従来例で示したほどの厚さは必要なく、おおよそ１．０〜２．０ｍｍ程度で十分であることが振動試験による比較実験により明らかになった。この為、緩衝材の使用量を削減出来、さらにケース変形などの可能性も低くなる。
【００２２】
図１は本発明の実施の形態のリチウムイオン二次電池パックの製造途中工程を示す平面透視図であり、図２は図１のＡ−Ａ線における断面図である。図１に示すように下ケース２に組電池３を組み込んだ後、発泡性充填材２４を組電池３の４隅の側面の角部に注入する。このときの吐出量は発泡後、図７で示した角部における電池各辺の１／４〜１／３の範囲１９に行き渡る量に管理される必要があることが振動試験による比較実験により明らかになったが、空気の流路とはリブ２９で隔離される為、さほど厳密な管理を必要としない。また、図２に示すように、充填材は発泡性であるため、複雑な形状にも追従して発泡性充填材２４が組電池３と下ケース２間を埋める。注入される発泡性充填材は、作業性の面および硬化時に発熱を伴わないことから一液性のウレタン系発泡充填材がよい。
【００２３】
なお、一般的に１Ａｈ未満の電池は容積、重量共に小さく、組電池としてよりも単電池の状態で電池パックを構成する場合も多く、また、このクラスの単電池の多くは比較的強固なＡｌ缶ケースを持っている場合の方が多い為、あまり耐震性を考慮する必要性がない。また、現在想定している単電池の最大容量は１８Ａｈである。
【００２４】
以上のように、本発明により比較的少ない重量、容積で対振動性が高く且つ空気による冷却も可能な電池パックを得られる。
【符号の説明】
【００２５】
１                      上ケース
２                      下ケース
３                      組電池
４、５、６              弾性体
７                      吸気口
８                      排気口
１０、１１、１２        弾性体
１３                    ラミネートフィルム
１４                    正極タブ
１５                    負極タブ
１６                    電極積層体
１７                    エンボスの角部
１８                    稜
１９                    各辺の１／４〜１／３の範囲
２１                    空気の流路
２４                    発泡性充填材
２９                    リブ
３０                    組電池保護板
３２                    金属板
３３                    ボルトまたはナット
【図１】
0005438182.tif 000002
【図２】
0005438182.tif 000003
【図３】
0005438182.tif 000004
【図４】
0005438182.tif 000005
【図５】
0005438182.tif 000006
【図６】
0005438182.tif 000007
【図７】
0005438182.tif 000008
【図８】
0005438182.tif 000009
【図９】
0005438182.tif 000010